(57)【要約】【課題】本考案は、氏名や戒名、写真を封入したラミネートカードを骨壷台に取り付けることを目的とするものである。【解決手段】本考案は、壷を載置する平板状の載置台３と、前記載置台３の周縁沿って立設される側壁部４と、故人の情報が表示された紙面をラミネートフィルム５によって封入される明示札６と、前記明示札６を、前記側壁部４に係着する係着手段を備える。【選択図】図１
0003131334.tif 000002
【実用新案登録請求の範囲】
【請求項１】
骨壷を載置する平板状の載置台と、
前記載置台の周縁沿って立設される側壁部と、
故人の情報が表示された紙面をラミネートフィルムによって封入される明示札と、
前記明示札を、前記側壁部に係着する係着手段を備える
ことを特徴とする骨壷台。
【請求項２】
前記側壁部が、少なくとも前記明示札の縦および横幅長さとされる
ことを特徴とする請求項１記載の骨壷台。
【請求項３】
前記載置台に、水抜き穴が開口される
ことを特徴とする請求項１または２記載の骨壷台。
【請求項４】
前記載置台が、骨壷の大きさに応じて大きさを調整できる機構とされる
ことを特徴とする請求項１、２または３記載の骨壷台。
【請求項５】
前記載置台の一部が分離可能な機構とされる
ことを特徴とする請求項１、２または３記載の骨壷台。
【考案の詳細な説明】
【技術分野】
【０００１】
本考案は、骨壷台に関する。詳しくは骨壷に納めるお骨に関する情報を表示プレートによって表示した骨壷台に係るものである。
【背景技術】
【０００２】
従来より骨壷の識別は、骨壷の蓋裏面に本人の氏名や戒名を記載する。あるいは図１０に示すように、骨壷１０１の外壁面にゆう薬の付かない記載面１０２を設け、この記載面１０２に墨やマジックなどによって本人の氏名や戒名を記載するものもある。また、木片に本人の氏名や戒名を記載し、この木片に紐や針金を通して骨壷に取り付けることが行われている。
【０００３】
いっぽう、骨壷置き台として例えば図１１に示すような考案がある。この骨壷置き台１０３は、骨壷を載置する載せ台１０４を平板状に形成すると共に、同載せ台１０４の正面位置と背面位置に、立上り状に前壁部１０５と後壁部１０６とを各々設け、しかも、少なくとも載せ台１０４は湿気を通さない素材により成形した構成とする（特許文献１参照。）。
【０００４】
【特許文献１】実開平７−１２１３１号公報
【考案の開示】
【考案が解決しようとする課題】
【０００５】
しかしながら骨壷に直接に氏名や戒名を記載する場合には、書き直すことができないために失敗することができず、そのために専門の人や僧侶に依頼することが多いが、お礼などの手数料が生じ、かつ墨やマジックペンでは年数とともに字体が薄れて納骨堂や墓に納められる複数の骨壷の判別がつきにくくなる問題がある。
また、氏名や戒名を記載した木片を骨壷に紐や針金などで取り付ける方法では長期にわたる湿気により紐が腐敗する、あるいは針金が錆によって切断することで木片が落下して骨壷の判別がつきにくくなる問題がある。
【０００６】
更に、故人の識別を明確にするために氏名や戒名が記載された新しい骨壷を取り替える場合には、僧侶の立会いのもとでの入れ替えをするのが慣習であり、お礼などの費用や親戚一同が揃わなければならないために非常に手間を要することとなる。
【０００７】
また、前記骨壷置き台では、「前記前壁部１０４の表面には、法名を金文字等により焼き付けたり、エッチングする一方、後壁部１０５の表面には、俗名や没年や享年を金文字等により焼付けたり、エッチングして、骨壷の区別が容易にできるようにしている。」と記載している。
したがって、俗名や没年や享年を金文字等によって焼付けたり、エッチングするには非常に手間がかかると共に、専門の業者に依頼するしかなく、手間を要するとともにコスト高となる問題がある。
【０００８】
また、骨壷置き台に墨やマジックで直接に記入する場合には、記入洩れや失敗をすることができず、さらに納骨堂内や墓石内での長期にわたる湿気によって字体や滲んだり、薄くなったりする問題がある。
【０００９】
本考案は、以上の点に鑑みて創案されたものであって、氏名や戒名、写真を封入したラミネートカードを骨壷台に取り付けることを目的とするものである。
【課題を解決するための手段】
【００１０】
上記の目的を達成するために、本考案に係る骨壷台は、骨壷を載置する平板状の載置台と、前記載置台の周縁沿って立設される側壁部と、故人の情報が表示された紙面をラミネートフィルムによって封入される明示札と、前記明示札を、前記側壁部に係着する係着手段を備える。
【００１１】
ここで、納骨された骨壷で故人の判別が難しいほどに書体が薄れた場合、あるいはあらたに骨壷による納骨を行う場合には、新たに故人の情報を紙面に印刷し、ラミネートフィルムによって封入して明示札を作成する。この明示札を側壁部に係着し、既存の骨壷を載置台に載置することによって半永久的に故人の判別が可能となる。
【００１２】
また、前記側壁部が、少なくとも前記明示札の縦および横幅長さとされることにより、骨壷台の軽量化が図れるとともに、側壁部が故人の氏名や戒名を記した札の役目を兼ねることになる。
【００１３】
また、前記載置台に、水抜き穴が開口されることにより、気温の変化により骨壷の表面に生じる結露や骨壷内から排出される水を載置台によって受け止めて、水抜き穴より排出させることが可能となる。
【００１４】
また、前記載置台が、骨壷の大きさに応じて大きさを調整できる機構とされることにより、大きさの異なる骨壷に応じて載置台の大きさを調整できることにより、納骨されている種々の大きさの骨壷を安定した状態での載置が可能となる。
【００１５】
また、前記載置台の一部が分離可能な機構とすることにより、石材などの重量物によって骨壷台を作成する場合に、納骨堂までの運搬や墓石内への収納時の負担が軽減されることになる。
【考案の効果】
【００１６】
以上の構成よりなる本考案では、骨壷台によって骨壷が転倒し難くなり、地震などによる振動や揺れによって骨壷が倒れて破損することを防止することが可能となる。
【００１７】
また、明示札によって故人の氏名や戒名、あるいは写真などの個人情報をパーソナルコンピューターなどによって自由に編集し明示することができ、かつ安価に作成することができる。
【００１８】
また、故人の各種情報をラミネートによって封入することにより、水や湿気によって字体が薄れることなく、永年に渡って明示することが可能となるとともに、側壁部に対して着脱自在な構成とすることにより定期的に新しい明示札として取り替えることが可能となる。
【００１９】
また、載置台を骨壷の大きさに応じて大きさを調整できる機構とする、あるいは分離式とすることにより、種々の大きさの骨壷に対応することができる。あるいは石材などの重量物で作成される場合であっても持ち運びが楽になる。
【考案を実施するための最良の形態】
【００２０】
以下、本考案の実施の形態を図面を参酌しながら説明し、本考案の理解に供する。
図１は、本考案に係る骨壷台の一例を示す正面説明図、図２は、図１における骨壷台の斜視図である。
【００２１】
ここで示す骨壷台１は、骨壷２の底面周縁が載置される環形状の載置台３の周縁に沿って蓮の花をイメージした側壁部４が立設される。そして側壁部４にはラミネートフィルム５によって作成される明示札６を係着して表示する表示部７が形成される。これにより載置台３の中央には水抜き穴１３が形成されることになる。
【００２２】
前記明示札６は、図３に示すように、故人の写真、戒名、享年、命日、生年月日、年齢、あるいは家紋など自由な事柄がパーソナルコンピューターによって紙面８上に印刷され、この紙面８の表・裏の両面からラミネートフィルム５によって被包し、熱加工などによりその周辺を熱溶着することにより作製される。
すなわち、パーソナルコンピューターにより氏名あるいは戒名の字体や大きさが自在に選択することができ、かつ生前の写真を取り込んでオリジナルの編集を行うことが可能となる。
【００２３】
したがって、前記紙面８がラミネートフィルム５によって密封されることにより水や湿気の侵入を防ぎ、紙面８の印字のインクが滲んだり、文字が薄くなったりすることを完全に防ぐことが可能となる。
【００２４】
次に、前記表示部７は図４（イ）、（ロ）に示すように、側壁部４面に明示札６が嵌め入れられる係留用凹部９が形成される。そして係留用凹部９に、明示札６が嵌め入れられ、係留用凹部９に嵌合可能とされる枠体部１０を押し入れることによって明示札６を係着させることが可能となる。
この枠体部１０によって明示札６の周辺を押えることにより明示札６を係留用凹部９内に係着することが可能となる。また枠体部１０が明示札６の縁取りとしての効果を奏するものである。
【００２５】
また、図５は表示部７の他の実施例を示すものであり、側壁部４面に明示札６を上方より差し入れることができる隙間が形成されるように枠体部１０の下端が側壁部４面より突設した状態から直角状に折り曲げ形成されるものである。
【００２６】
したがって明示札６を上方より側壁部４と枠体部１０との間に形成される隙間内に差し入れることにより明示札６を表示部７に係着させるとともに、前記枠体部１０が明示札６の縁取りを兼用することが可能となる。
【００２７】
なお、前記表示部７は必ずしも本実施例で示す機構に限定されるものではなく、例えば側壁部４面を平坦上にしてピン、あるいは接着剤などによって明示札６を係着させる機構などが考えられるものであり、明示札６が数年に渡って脱落しないものであればいかなる機構であっても構わない。
【００２８】
また、前記骨壷台１の材質としては適宜な厚さを有する耐天候性を有する材質が良く、例えばチタン、軽合金、合成樹脂、陶器、磁器、石材、ガラス・ＦＲＰ、あるいは防腐加工や防水加工を施した木製も可能とするものである。
【００２９】
次に、図６に骨壷台１の他の例を示すものであり、環形状の載置台３の周縁に明示札６が取り付けられる横幅および縦幅を有する大きさの側壁部４が立設され、この側壁部４にラミネートフィルム５によって作成される明示札６を係着して表示する表示部７が形成される。
【００３０】
そこで前記明示札６の取り付け機構としては、前記図４（イ）、（ロ）において前述したように、側壁部４に明示札６が嵌め入れられる係留用凹部９が形成される。そして係留用凹部９に、明示札６が嵌め入れられ、係留用凹部９に嵌合可能とされる枠体部１０を押し入れることによって明示札６を係着させることが可能となるとともに、前記枠体部１０が明示札６の縁を形成することとなる。
【００３１】
また、前記図５において前述したように、明示札６を上方より側壁部４と枠体部１０との間に形成される隙間内に差し入れることにより明示札６を表示部７に係着させることが可能となるとともに、前記枠体部１０が明示札６の縁を形成することとなる。
【００３２】
なお、前記明示札６を骨壷台１の側壁部４に接着剤などによって直接に係着させる場合には、ラミネートフィルム５の周縁に印刷により縁を設けることが望ましいものである。
【００３３】
図７（イ）、（ロ）は、図６の明示札６の取り付け機構の他の実施例を示すものであり、環形状の載置台３の周縁に明示札６が取り付けられる横幅および縦幅を有する大きさの側壁部４が立設され、この側壁部４に明示札６の周縁が係留する大きさの開口窓１４をくり抜き、その開口窓１４の開口縁裏側に沿って上端が開口状とされる枠体部１０を設ける。そこで前記図５において前述したように、明示札６を上方より側壁部４と枠体部１０との間に形成される隙間内に差し入れることにより明示札６を前記開口窓１０に表示することが可能となる。
【００３４】
次に、図８に示すのは、骨壷の底部の大きさに応じて載置台３の大きさを自在に調整できるように、前記載置台３が分割状とされ、一方の載置台３Ａにはスライド用凹部１１が形成されると共に、他方の載置台３Ｂには前記スライド用凹部１１内に嵌め合わせられる嵌入用凸部１２が形成される。
【００３５】
したがって、図中想像線で示すように、前記一方の載置台３Ａのスライド用凹部１１に対して、他方の載置台３Ｂの嵌入用凸部１２を骨壷（図示せず。）の底部が載置できるようにスライド調整することで骨壷の大きさに関係なく載置台３に置くことが可能となる。
【００３６】
なお、骨壷の大きさに応じて載置台３の大きさを調整できる機構としては、必ずしも本実施例で示す機構に限定するものではなく、構造が簡単で容易に調整できるものであればいかなる機構であっても構わない。
【００３７】
また、図９に示すのは、載置台３および側壁部４が、例えば石材や金属などの重い材質で作成した場合には、骨壷台１を納骨堂、あるいは墓に運ぶ場合に、非常に重たくなる、あるいは載置台３が嵩張るために、持ち運びがやっかいとなる。そこで、載置台３を分離式とし、納骨堂、あるいは墓に骨壷（図示せず。）を納入する場合に、分離した分割状載置台３Ｃを組み合わせて形成される載置台３上に骨壷を載置することで持ち運ぶに負担がかからない構成となる。
【００３８】
なお、前記載置台３を分離式にする場合には、載置台３として組み合わせる際に骨壷表面に付いた結露や骨壷内より排出される水を受け止めて排水するための水抜き穴が形成されるようにすることが望ましい。
【００３９】
以上の構成よりなる本考案の骨壷台では、図１に示すように、既に納骨されている骨壷に記入されている戒名や氏名が薄くなった場合には、前記図３において詳述したように、生前の写真、氏名あるいは戒名をパーソナルコンピューターなどによって紙面８上に好みの編集を行い紙面８上に印刷をする。そして紙面８の表・裏の両面からラミネートフィルム５によって被包するように付着することにより明示札６を作製する。
このラミネートフィルム５による封入は、紙面８を表裏より被包して開口端を熱溶着などによって封止する装置が市販されており、パーソナルコンピューターを使ってオリジナルの明示札６が容易に作成することが可能となる。
【００４０】
次に、前記明示札６を骨壷台１の側壁部４の表示部７に前記図４および図５において前述した方法により係着させた後に、載置台３上に両面テープなどの接着手段により載置台３と骨壷２の底面とを接着して載置させる。これにより載置台３上に載置された骨壷２は倒れることがなく、かつ、既にお墓や納骨堂に納骨されている複数の骨壷を骨壷台１が載置されることにより故人の判別が容易に行うことが可能となる。
なお、骨壷２と載置台３との固着手段としては、両面テープによる他に直接的に接着剤によって固着する方法や接着剤を使用せずに側壁部４によって係り止めるなどの方法があり、状況に応じて最も適した方法を採用することが望ましい。
【００４１】
また、納骨堂の場合では複数の骨壷が壇上に載置されていることが多いために、骨壷を床下に落下させる、あるいは骨壷を倒すことが多いが本考案の骨壷台１によって骨壷１を載置することによって倒れることなく、安定した骨壷の載置が可能となる。
【００４２】
また、骨壷は故人の葬式から納骨するまでは、骨壷は木箱に入れられ、さらに布袋によって被包されるものであるが、本考案の骨壷台では蓮の花などの装飾を施した側壁部によって骨壷を収納することにより見栄えがよく、かつ明示札によって故人の写真や氏名、戒名を表示することにより、従来からの慣習である木箱や布袋などが不要となる。
【００４３】
また、載置台３が環状に形成されるために、その中央が中空状となり、載置台３上に載置された骨壷２の表面から流れ落ちる結露や骨壷２底面に穿孔される水抜き穴（図示せず。）から排出される水は載置台３の中央に形成される水抜き穴１３より載置台３上に溜まることなく排出される。
【図面の簡単な説明】
【００４４】
【図１】本考案に係る骨壷台の一例を示す斜視図である。
【図２】図１における平面説明図である。
【図３】本考案に係る骨壷台の明示札の作成例を示す説明図である。
【図４】本考案に係る骨壷台の明示札の側壁部への係着機構の一例を示す説明図である。
【図５】本考案に係る骨壷台の明示札の側壁部への係着機構の他の例を示す説明図である。
【図６】本考案に係る骨壷台の他の例を示す斜視図である。
【図７】図６における明示札の他の取り付け機構を示す説明図である。
【図８】本考案に係る骨壷台の載置台の大きさが自在に調整できる機構の一例を示す説明図である。
【図９】本考案に係る骨壷台の載置台が分離できる機構の一例を示す説明図である。
【図１０】骨壷の一例を示す説明図である。
【図１１】従来の骨壷台の一例を示す説明図である。
【符号の説明】
【００４５】
１    骨壷台
２    骨壷
３    載置台
３Ａ  一方の載置台
３Ｂ  他方の載置台
３Ｃ  分割状載置台
４    側壁部
５    ラミネートフィルム
６    明示札
７    表示部
８    紙面
９    係留用凹部
１０  枠体部
１１  スライド用凹部
１２  嵌入用凸部
１３  水抜き穴
１４  開口窓
【図１】
0003131334.tif 000003
【図２】
0003131334.tif 000004
【図３】
0003131334.tif 000005
【図４】
0003131334.tif 000006
【図５】
0003131334.tif 000007
【図６】
0003131334.tif 000008
【図７】
0003131334.tif 000009
【図８】
0003131334.tif 000010
【図９】
0003131334.tif 000011
【図１０】
0003131334.tif 000012
【図１１】
0003131334.tif 000013
【手続補正書】
【提出日】平成19年1月22日(2007.1.22)
【手続補正１】
【補正対象書類名】実用新案登録請求の範囲
【補正対象項目名】全文
【補正方法】変更
【補正の内容】
【実用新案登録請求の範囲】
【請求項１】
骨壷を載置する平板状の載置台と、
前記載置台の周縁に沿って立設される側壁部と、
故人の情報が表示された紙面をラミネートフィルムによって封入される明示札と、
前記明示札を、前記側壁部に係着する係着手段を備える
ことを特徴とする骨壷台。
【請求項２】
前記側壁部が、少なくとも前記明示札の縦および横幅長さとされる
ことを特徴とする請求項１記載の骨壷台。
【請求項３】
前記載置台に、水抜き穴が開口される
ことを特徴とする請求項１または２記載の骨壷台。
【請求項４】
前記載置台を、スライド用凹部を形成される一方の載置台と該スライド用凹部に出し入れ自在とされる嵌入用凸部が形成される他方の載置台とに構成される
ことを特徴とする請求項１、２または３記載の骨壷台。
【請求項５】
前記載置台が分割状とされる
ことを特徴とする請求項１、２または３記載の骨壷台。